(57)【要約】      （修正有）【課題】目盛り付きテープの先端部を当接し易くすることで正確な計測を可能にする巻き尺を提供する。【解決手段】目盛り付きテープ３の先端部３６には、目盛りが設けられた表面３ａに第一板状部２１が取り付けられ、第一板状部２１と対向し、目盛りが設けられていない裏面３ｂに第二板状部２２が取り付けられ、第一板状部２１と第二板状部２２とで目盛り付きテープ３を挟み込みことで、目盛り付きテープ３の先端部３６と対向する、第一板状部２１及び第二板状部２２と連続する連結部２３が設けられ、第二板状部２２の、連結部２３とは反対側で、連結部２３が伸びる方向と反対側で第二板状部２２と交差する方向に伸びる係止部２４を備える係止部材２が取り付けられて、ケースの底面部側の開口部から目盛り付きテープ３を巻き出し、或いは巻き戻しを可能にする。【選択図】図６
0003146872.tif 000002
【実用新案登録請求の範囲】
【請求項１】
ケース内に巻回されて収納された目盛り付きテープと、前記ケースの底面部側から前記目盛り付きテープを巻き出し、或いは巻き戻しを可能にする前記ケースの底面部側に設けられた開口部と、を備える巻き尺において、
前記ケースの前記開口部から巻き出し、或いは巻き戻しされる前記目盛り付きテープの先端部側には、
前記ケースの前記開口部から巻き出し、或いは巻き戻しされる前記目盛り付きテープの先端部側の、目盛りが設けられた表面に取り付けられた第一板状部と、
前記第一板状部と対向し、前記目盛りが設けられた前記表面に対して反対側の目盛りが設けられていない裏面に取り付けられた第二板状部と、
前記第一板状部及び前記第二板状部と連続し、前記第一板状部が前記目盛りが設けられた前記表面に取り付けられ、前記第二板状部が前記目盛りが設けられていない前記裏面に取り付けられて、前記第一板状部と前記第二板状部とで前記目盛り付きテープを挟み込むことで、前記目盛り付きテープの先端部と対向する連結部と、
前記第二板状部の、前記連結部とは反対側の端部で、前記連結部が伸びる方向と反対側で前記第二板状部と交差する方向に伸びた係止部と、を備える係止部材が取り付けられていることを特徴とする巻き尺。
【請求項２】
前記第一板状部は、前記連結部に対して垂直方向に、前記連結部側の端部より前記目盛り付きテープの幅と同一の幅で伸びた後、前記第一板状部の両側の縁部が傾斜して伸びることで、前記第一板状部の、前記連結部側の端部より前記連結部とは反対側の端部が狭いことを特徴とする請求項１に記載の巻き尺。
【請求項３】
前記第二板状部は、前記連結部に対して垂直方向で、前記連結部側の端部より前記目盛り付きテープの幅と同一の幅で、前記第一板状部の、前記連結部とは反対側の端部まで伸び、両側の前記縁部が傾斜して伸びた前記第一板状部を囲むように湾曲して円弧を形成していることを特徴とする請求項１又は２に記載の巻き尺。
【請求項４】
前記係止部材と前記目盛り付きテープとの連結は、前記係止部材の、前記第一板状部と前記第二板状部とで前記目盛り付きテープを挟み込み、前記目盛り付きテープの先端部を前記係止部材の前記連結部と対向させて当接させた状態で、重なり合った、前記係止部材に設けられた孔部と前記目盛り付きテープに設けられた孔部とに固定部材を組み込むことにより行うことを特徴とする請求項２又は３に記載の巻き尺。
【請求項５】
前記ケースの前記開口部は、前記ケースの底面部に、前記係止部材を収容する、少なくとも前記係止部材の長手方向の長さと同じ長さで、前記係止部材の長手方向を横断する幅方向と同じ長さの切欠きとして形成され、前記ケースの前記底面部に、前記係止部材を収容すると、前記係止部材の前記係止部が前記開口部の切り欠かれて形成された端面部に係止することを特徴とする請求項１に記載の巻き尺。
【請求項６】
前記目盛り付きテープの長手方向に沿う一方の縁部に設けられた前記目盛りは、前記目盛り付きテープの先端部側に取り付けられた前記係止部材の前記連結部の端面を基点とする、前記係止部材の前記連結部の前記端面からの長さに従った目盛りの表示であるのに対し、前記目盛り付きテープの長手方向に沿う他方の縁部に設けられた前記目盛りは、取り付けられた前記係止部材の前記第一板状部の、前記連結部とは反対側の端部を基点とする、前記第一板状部の、前記連結部とは反対側の端部からの長さに従った目盛りの表示であることを特徴とする請求項１に記載の巻き尺。
【考案の詳細な説明】
【技術分野】
【０００１】
本考案は、構造物等の建物の建設現場等における測定に際し、測定を容易に正確に行うことを可能にする巻き尺に関する。
【背景技術】
【０００２】
建設現場等において寸法測定に使用する巻き尺１００は、図１０に示すように、Ｄ字形のケース１０１の中に、図示しない一本の巻き軸に巻き上げられるテープ１０２が内蔵されるように構成されている。そして、テープ１０２の自由端１０２ａ（である先端部）には、テープ１０２の自由端１０２ａ（である先端部）が完全にケース１０１の中に引き込まれないように保持したり、或いは計測対象物１０５に引っ掛けたりするためのＬ字状のフック（ストッパー）１０３が設けられている。このＬ字状のフック（ストッパー）１０３により、テープ１０２が完全に巻き上げられた場合でも、テープ１０２の自由端１０２ａ（である先端部）に設けられたＬ字状のフック（ストッパー）１０３がケース１０１の外側に留まることができる（特許文献１）。
【０００３】
一般に、この巻き尺１００を用いて測定するには、図１０に示すように、計測対象物１０５にテープ１０２の自由端１０２ａ（である先端部）に設けられたＬ字状のフック（ストッパー）１０３を引っ掛けて（図１０では計測対象物の、面と面とが交差する角部１０５ａにＬ字状のフック（ストッパー）１０３を引っ掛けて）、Ｄ字形のケース１０１を矢印Ｙ方向へ引っ張る。Ｄ字形のケース１０１に内蔵されているテープ１０２の自由端１０２ａ（である先端部）のＬ字状のフック（ストッパー）１０３は計測対象物１０５の角部１０５ａに引っ掛かっているため（保持されているため）、Ｄ字形のケース１０１を矢印Ｙ方向へ引っ張ると、Ｄ字形のケース１０１に内蔵されているテープ１０２が出てくる。そして、計測対象物１０５の幅方向の長さ（矢印Ｘ方向）を計測するのであれば、巻き尺を図１０に示す状態して、テープ１０２の目盛りを読みとることで計測が完了する。
【０００４】
また、巻き尺１００を用いて、建設現場等における部材間同士の間隔（隙間等）を計測する場合には、図１１に示すように、部材１０６の面１０６ａにテープ１０２の自由端１０２ａ（である先端部）に設けられたＬ字状のフック（ストッパー）１０３の端面１０３ａを当接させる。Ｌ字状のフック（ストッパー）１０３の端面１０３ａを部材１０６の面１０６ａに当接した状態で、Ｄ字形のケース１０１を矢印Ｚ方向へ、テープ１０２を出しながら、移動部材１０７に向かって移動する。そして、Ｄ字形のケース１０１を所定の距離移動した後に、部材１０６の面１０６ａからの距離を測るべくテープ１０２の目盛りを読みとることで計測が完了する。
【特許文献１】実用新案登録第３０９４０３号（段落０００２  図５）
【考案の開示】
【考案が解決しようとする課題】
【０００５】
しかしながら、図１０及び図１１に示すように、巻き尺１００では、テープ１０２の自由端１０２ａ（である先端部）にＬ字状のフック（ストッパー）１０３が設けられている。そのため、狭い箇所へテープ１０２を挿入しなければならない場合にテープ１０２の自由端１０２ａ（である先端部）に設けられたＬ字状のフック（ストッパー）１０３が、その狭い箇所への挿入が困難となったり、Ｌ字状のフック（ストッパー）１０３があるために正確な計測が困難になる。具体的には、図１２に示すように、対向する計測対象物１０４、１０４において、計測対象物１０４の溝１０４ａの隅１０４ｃから計測対象物１０４の縁部１０４ｂまでの長さ計測する場合に、テープ１０２の自由端１０２ａ（である先端部）が溝１０４ａの隅１０４ｃに当接させることができない。
【０００６】
これは、図１２に示すように、テープ１０２の自由端１０２ａ（である先端部）に設けられたＬ字状のフック（ストッパー）１０３が溝１０４ａ内の内壁１０４ａ１に当接し、テープ１０２の自由端１０２ａ（である先端部）と隅１０４ｃとの間に隙間が形成されることになる。そのため、巻き尺１００を用いて、計測対象物１０４の溝１０４ａの隅１０４ｃから計測対象物１０４の縁部１０４ｂまでを正確に計測することが困難となる。
【０００７】
また、計測対象物１０８が矩形部材でその対角線の長さを計測する場合にも、図１３に示すように、テープ１０２の自由端１０２ａ（である先端部）に設けられたＬ字状のフック（ストッパー）１０３が空隙部１０８ａ内の内壁１０８ａ１に当接し、テープ１０２の自由端１０２ａ（である先端部）と隅１０８ｃとの間に隙間が形成されることになる。そのため、巻き尺１００を用いて、計測対象物１０８の対角線（一点鎖線）の長さを正確に計測することが困難となる。
【０００８】
本考案は、上記の事情に鑑みなされたものであり、テープの自由端（である先端部）を当接し難い箇所があっても容易に当接することを可能にすることで正確な計測を可能にする巻き尺を提供することを目的とする。
【課題を解決するための手段】
【０００９】
上記の目的を達成するために、請求項１に記載の考案は、ケース内に巻回されて収納された目盛り付きテープと、前記ケースの底面部側から前記目盛り付きテープを巻き出し、或いは巻き戻しを可能にする前記ケースの底面部側に設けられた開口部と、を備える巻き尺において、前記ケースの前記開口部から巻き出し、或いは巻き戻しされる前記目盛り付きテープの先端部側には、前記ケースの前記開口部から巻き出し、或いは巻き戻しされる前記目盛り付きテープの先端部側の、目盛りが設けられた表面に取り付けられた第一板状部と、前記第一板状部と対向し、前記目盛りが設けられた前記表面に対して反対側の目盛りが設けられていない裏面に取り付けられた第二板状部と、前記第一板状部及び前記第二板状部と連続し、前記第一板状部が前記目盛りが設けられた前記表面に取り付けられ、前記第二板状部が前記目盛りが設けられていない前記裏面に取り付けられて、前記第一板状部と前記第二板状部とで前記目盛り付きテープを挟み込むことで、前記目盛り付きテープの先端部と対向する連結部と、前記第二板状部の、前記連結部とは反対側の端部で、前記連結部が伸びる方向と反対側で前記第二板状部と交差する方向に伸びた係止部と、を備える係止部材が取り付けられていることを特徴とする。
【００１０】
従って、請求項１に記載の考案によれば、ケースの底面部側に設けられた開口部より巻き出し、或いは巻き戻しする目盛り付きテープの先端部側の、目盛りが設けられた表面に第一板状部が取り付けられ、目盛りが設けられていない裏面に第二板状部が取り付けられ、目盛り付きテープの先端部と対向する、第一板状部及び第二板状部と連続する連結部が設けられて、第二板状部の、連結部とは反対側の端部で、連結部が伸びる方向と反対側で第二板状部と交差する方向に伸びた係止部が取り付けられているので、目盛り付きテープの先端部と係止部が離れることになり、目盛り付きテープの先端部を計測対象物に当接しても係止部である、目盛り付きテープのストッパーが目盛り付きテープの先端部とともに計測対象物に当接することを防止することが可能になる。
【００１１】
また、請求項２に記載の考案は、請求項１に記載の構成に加え、前記第一板状部は、前記連結部に対して垂直方向に、前記連結部側の端部より前記目盛り付きテープの幅と同一の幅で伸びた後、前記第一板状部の両側の縁部が傾斜して伸びることで、前記第一板状部の、前記連結部側の端部より前記連結部とは反対側の端部が狭いことを特徴とする。
【００１２】
従って、請求項２に記載の考案によれば、第一板状部は、連結部側の端部より目盛り付きテープの幅と同一の幅で、連結部側の端部から、端部に対して垂直方向へ伸びているので、途中までは目盛り付きテープの幅と同一の幅が形成されており、その後、傾斜して伸びて目盛り付きテープの幅より徐々に狭くなるように形成されているため、目盛り付きテープに第一板状部が取り付けられると、目盛り付きテープと第一板状部とが重ならない部分があるため目盛り付きテープは湾曲して円弧が形成された状態で第一板状部に取り付けられることが可能になる。
【００１３】
さらに、請求項３に記載の考案は、請求項１又は２に記載の構成に加え、前記第二板状部は、前記連結部に対して垂直方向で、前記連結部側の端部より前記目盛り付きテープの幅と同一の幅で、前記第一板状部の、前記連結部とは反対側の端部まで伸び、両側の前記縁部が傾斜して伸びた前記第一板状部を囲むように湾曲して円弧を形成していることを特徴とする。
【００１４】
従って、請求項３に記載の考案によれば、第二板状部は目盛り付きテープの幅と同一の幅で第一板状部の、連結部とは反対側の端部まで形成され、第二板状部の両側の前記縁部が傾斜して伸びた前記第一板状部を囲むように湾曲して円弧を形成しているため、湾曲して円弧が形成された目盛り付きテープに容易に取り付けることが可能になる。
【００１５】
また、請求項４に記載の考案は、請求項２又は３に記載の構成に加え、前記係止部材と前記目盛り付きテープとの連結は、前記係止部材の、前記第一板状部と前記第二板状部とで前記目盛り付きテープを挟み込み、前記目盛り付きテープの先端部を前記係止部材の前記連結部と対向させて当接させた状態で、重なり合った、前記係止部材に設けられた孔部と前記目盛り付きテープに設けられた孔部とに固定部材を組み込むことにより行うことを特徴とする。
【００１６】
従って、請求項４に記載の考案よれば、係止部材の、第一板状部と第二板状部とで目盛り付きテープを挟み込み、目盛り付きテープの先端部を係止部材の連結部と対向させて当接させた状態で、係止部材に設けられた孔部と目盛り付きテープに設けられた孔部とを重なり合わせて、その孔部に固定部材を組み込むことで、係止部材と目盛り付きテープとの連結を可能にする。
【００１７】
さらに、請求項５に記載の考案は、請求項１に記載の構成に加え、前記ケースの前記開口部は、前記ケースの底面部に、前記係止部材を収容する、少なくとも前記係止部材の長手方向の長さと同じ長さで、前記係止部材の長手方向を横断する幅方向と同じ長さの切欠きとして形成され、前記ケースの前記底面部に、前記係止部材を収容すると、前記係止部材の前記係止部が前記開口部の切り欠かれて形成された端面部に係止することを特徴とする。
【００１８】
従って、請求項５に記載の考案によれば、ケースの底面部を切り欠くことにより開口部を形成することで目盛り付きテープに取り付けられた係止部材を収容することを可能にし、底面部の、切り欠かれて形成された、縁面部の終端としての端面部に係止部材の係止部を当接させることで目盛り付きテープの先端部がケース内に引き込まれないようにし、底面部の、切り欠かれて形成された端面部が係止部材の係止部をストッパーとしての働きを機能させることを可能にしている。
【００１９】
また、請求項６に記載の考案は、請求項１に記載の構成に加え、前記目盛り付きテープの長手方向に沿う一方の縁部に設けられた前記目盛りは、前記目盛り付きテープの先端部側に取り付けられた前記係止部材の前記連結部の端面を基点とする、前記係止部材の前記連結部の前記端面からの長さに従った目盛りの表示であるのに対し、前記目盛り付きテープの長手方向に沿う他方の縁部に設けられた前記目盛りは、取り付けられた前記係止部材の前記第一板状部の、前記連結部とは反対側の端部を基点とする、前記第一板状部の、前記連結部とは反対側の端部からの長さに従った目盛りの表示であることを特徴とする。
【００２０】
従って、請求項６に記載の考案によれば、目盛り付きテープの長手方向に沿う一方の縁部に設けられた目盛りは、目盛り付きテープの先端部側に取り付けられた係止部材の連結部の端面を基点としており、目盛り付きテープの長手方向に沿う他方の縁部に設けられた目盛りは、取り付けられた係止部材の第一板状部の、連結部とは反対側の端部を基点とすることで、目盛り付きテープには、二種類の目盛りが設けられて、目盛り付きテープの先端部を計測対象物に当接して計測する場合でも、目盛り付きテープに取り付けられた係止部材の係止部を基準に計測対象物を計測する場合でも、計測可能になる。
【考案の効果】
【００２１】
本考案によれば、巻き尺の目盛り付きテープの先端部が板状で形成されているため、狭い箇所等であっても容易に入り込むことができるとともに、計測対象物に目盛り付きテープの先端部が当接することができるため、計測対象物の当接した位置を基点として正確な寸法を計測することができる。
【００２２】
また、目盛り付きテープには、基点が異なる二種類の目盛りが一方の縁部側と他方の縁部側とに形成してあるので、目盛り付きテープの先端部を基点として計測する場合でも、目盛り付きテープに取り付けられた係止部材の係止部を基点として計測する場合でも容易に計測を行うことができる。
【考案を実施するための最良の形態】
【００２３】
以下、本考案を実施するための最良の形態について図面を参照して説明する。
【００２４】
図１には、本考案の巻き尺１の目盛り付きテープ３に取り付ける係止部材２が示されている。この係止部材２は、基本的には、図１（ａ）に示すように、板状部材２０を折り曲げることにより構成されている。具体的には、板状部材２０の、第一板状部２１と第二板状部２２と折り曲げて重ね合わせ、第一板状部２１と第二板状部２２との間に隙間が形成されるように連結部２３（折り曲げ部）が設けられている。目盛り付きテープ３の目盛り３５が設けられた表面に取り付けられる第一板状部２１は、図１（ａ）に示すように、屈曲のない平板状に形成されている。
【００２５】
そして、第一板状部２１は、連結部２３に対して垂直方向に、連結部２３（端部２１ａ）より目盛り付きテープ３の幅と同一の幅で伸びた後（平行縁部２１ｂ１、２１ｂ１が伸びた後）、目盛り付きテープ３の幅より狭くなるように第一板状部２１の両側の縁部２１ｂ２、２１ｂ２が傾斜して伸びて第一板状部３の、端部２１ｃ（ケース４の開口部４２側の端部）が連結部２３側の第一板状部２１より狭くなっている。第一板状部２１の長手方向の縁部２１ｂ、２１ｂでは、図１（ｂ）に示すように、端部２１ａより平行縁部２１ｂ１、２１ｂ１が互いに平行に（目盛り付きテープ３の幅と同一の幅で）伸び、途中から平行縁部２１ｂ１、２１ｂ１（の延長線）に対して鋭角である角度αで互いに傾斜し、傾斜縁部２１ｂ２、２１ｂ２が伸びている。
【００２６】
そして、傾斜縁部２１ｂ２、２１ｂ２が形成された第一板状部２１の一方の端部側では、端部２１ｃが形成されている。そして、この端部２１ｃと、第一板状部２１の他方の端部（連結部２３側）である端部２１ａとは平行になるように形成され、端部２１ａより端部２１ｃが狭く形成されている。この第一板状部２１は、図１（ａ）に示すように、第二板状部２２と重ね合わされる。第二板状部２２は、連結部２３側の端部２１ａより目盛り付きテープ３の幅と同一の幅で、連結部２３に対して垂直方向で、第一板状部２１の、連結部２３とは反対側の端部２１ｃまで伸び、両側の縁部２１ｂ、２１ｂ（傾斜縁部２１ｂ２、２１ｂ２）が傾斜して伸びた第一板状部２１を囲むように湾曲して円弧を形成している。
【００２７】
この第二板状部２２は、図１（ａ）に示すように、長方形形状をなしており、第二板状部２２の端部２２ａの長さは第一板状部２１の端部２１ａの長さと同じになっている。また、第二板状部２２の端部２２ａより伸びる長手方向の縁部２２ｂ、２２ｂは第一板状部２１の端部２１ａより伸びる長手方向の平行縁部２１ｂ１、２１ｂ１に重なり合って途中まで伸びている。そして、第二板状部２２は、長方形形状をなしており、第一板状部２１は途中から両側が傾斜した傾斜縁部２１ｂ２、２１ｂ２が形成されているので、第二板状部２２の縁部２２ｂ、２２ｂと第一板状部２１の傾斜縁部２１ｂ１、２１ｂ１は重なり合わなくなる。
【００２８】
つまり、第一板状部２１の傾斜縁部２１ｂ２、２１ｂ２で挟み込まれた部分は、図１（ａ）に示すように、第二板状部２２内で、第二板状部２２と重なり合った状態になっている。そして、図２（ａ）に示すように、第二板状部２２では、第一板状部２１の平行縁部２１ｂ１、２１ｂ１と傾斜縁部２１ｂ２、２１ｂ２とのつなぎ目である屈曲点２１ｄ、２１ｄに対応する位置２２ｄ、２２ｄより、第二板状部２２の縁部２２ｂ、２２ｂが傾斜縁部２１ｂ１、２１ｂ１で挟み込まれた第一板状部２１を囲むように湾曲して円弧を形成している（図１（ａ）参照）。この円弧は、図１（ｂ）に示すように、第二板状部２２の屈曲点２１ｄ、２１ｄに対応する位置２２ｄ、２２ｄから端部２２ｃまで、第二板状部２２の縁部２２ｂ、２２ｂ同士が互いに接近し合うことで円弧を形成している。
【００２９】
具体的には、傾斜縁部２１ｂ１、２１ｂ１で挟み込まれることで形成された第一板状部２１の部分は、屈曲点２１ｄ、２１ｄから端部２１ｃへ向かうに従い細くなる形状をなしている（略三角形状をなしている）。第二板状部２２の、屈曲点２１ｄ、２１ｄに対応する位置２２ｄ、２２ｄから端部２２ｃでは、第一板状部２１の傾斜縁部２１ｂ１、２１ｂ１に沿って第二板状部２２の縁部２２ｂ、２２ｂを立ち上がらせて、図２（ｂ）に示すように、傾斜縁部２１ｂ１、２１ｂ１で挟み込まれた第一板状部２１を囲むように円弧を形成している。傾斜縁部２１ｂ１、２１ｂ１で挟み込まれた第一板状部２１は、屈曲点２１ｄ、２１ｄから端部２１ｃへ向かうに従い細くなる形状をなしている（略三角形状をなしている）ので、第二板状部２２の円弧の径は、屈曲点２１ｄ、２１ｄに対応する位置２２ｄ、２２ｄから端部２２ｃに向かい除々に小さくなっている。
【００３０】
なお、本例では、連結部２３から第一板状部２１の端部２１ｃまでの長さと連結部２３から第二板状部２２の端部２２ｃまでの長さは同じになっている。つまり、第一板状部２１の端部２１ｃと第二板状部２２の端部２２ｃとは重なり合える状態になっている。ただし、連結部２３から第一板状部２１の端部２１ｃまでの長さと連結部２３から第二板状部２２の端部２２ｃまでの長さは同じにすることに限定されず、第一板状部２１より第二板状部２２を長くしたり、第二板状部２１より第一板状部２２を長くしたりすることは可能である。
【００３１】
本例では、第一板状部２１と第二板状部２２とは一体の板状部材２０からなり、板状部材２０を折り曲げることで、第一板状部２１と第二板状部２２とが形成されている。そして、図２（ｃ）に示すように、第一板状部２１と第二板状部２２とを折り曲げることで、第一板状部２１と第二板状部２２とが重ねられた状態になり、第一板状部２１と第二板状部２２との間に、第一板状部２１及び第二板状部２２に連続する連結部２３が形成されている。連結部２３が形成されることで重なり合った、第一板状部２１と第二板状部２２との間には隙間Ａが形成されている。つまり、板状部材２０を折り曲げて第一板状部２１と第二板状部２２を形成する際に、第一板状部２１の端部２１ａと第二板状部２２の端部２２ａとの間に連結部２３を形成することで、重なり合った第一板状部２１と第二板状部２２との間に隙間Ａが形成されている。
【００３２】
連結部２３は、図２（ａ）に示すように、第一板状部２１及び第二板状部２２に対して、交差する方向に形成されている。つまり、連結部２３である折り曲げ部は、図１（ａ）に示すように、第一板状部２１の端部２１ａ及び第二板状部２２の端部２２ａから屈曲して伸びて形成されている。この連結部２３を形成することによって形成された隙間Ａは、巻き尺１のテープ１０を組み込むことができるように（挟み込むことができるように）なっている。そして、連結部２３は、目盛り付きテープ３の目盛りが設けられた表面３ａに第一板状部２１が取り付けられ、目盛り付きテープ３の目盛りが設けられていない裏面３ｂに第二板状部２２が取り付けられて、第一板状部２１と第二板状部２２とで目盛り付きテープ３を挟み込みことで、目盛り付きテープ３の先端部３６と対向している。
【００３３】
また、重なり合っている第一板状部２１及び第二板状部２２の中央位置より端部２１ｃ及び端部２２ｃ寄りに、第一板状部２１及び第二板状部２２を貫通した孔部２ａ、２ｂが形成されている。本例では孔部２ａ、２ｂは二箇所形成しているが、特に二箇所に限定されることなく、三箇所等、孔部の数を増やすことも可能である。この孔部２ａ、２ｂには、係止部材２にテープ１０を組み込んだ後に、固定部材であるリベット等を挿入し、係止部材２とテープ１０との接続を行うことになる。そのため、係止部材２とテープ１０との接続を強固にするために孔部２ａ、２ｂの数を変更することも可能である。
【００３４】
なお、本例では、板状部材２０を折り曲げることで第一板状部２１、２２、及び連結部２３を形成しているが、このように板状部材２０を折り曲げることに限定されることなく、第一板状部２１、２２、及び連結部２３を別部材として形成することも可能である。
【００３５】
さらに、第二板状部２２の端部２２ａ（連結部２３）とは反対側の端部２２ｃ側には、連結部２３が伸びる方向とは反対側で第二板状部２２と交差する方向に伸びた係止部２４が取り付けられている。つまり、係止部２４は、図２（ａ）に示すように、第二板状部２２を挟んで、第二板状部２２の第一板状部２１（連結部２３）が設けられた面側とは反対側の面側に取り付けられている。本例においては、第二板状部２２と係止部２４とは別部材としているが、別部材に限定されることなく第二板状部２２を折り曲げることで係止部２４に対応する部分を形成することも可能である。
【００３６】
この係止部２４は、図２（ａ）に示すように、係止部２４が取り付けられた第二板状部２２の端部２２ｃ側に対して垂直に取り付ける必要はなく、第二板状部２２の端部２２ｃに、第二板状部２２と交差する方向に取り付けられている。また、本例では、係止部２４の厚みは第二板状部２２の厚みと同じであるが、係止部２４の厚みを第二板状部２２の厚みより厚くすることも可能である。
【００３７】
つぎに、本例で用いる目盛り付きテープ３について説明する。目盛り付きテープ３は、基本的に大きさに関しては通常の巻き尺に用いられる目盛り付きテープと同じであり、目盛り付きテープ３の中央部３４を底部とする幅方向に湾曲して、目盛り付きテープ３の長手方向に伸びているが、図３に示すように、通常の巻き尺に用いられる目盛り付きテープとは構成が異なっている。
【００３８】
目盛り付きテープ３では、図３（ａ）に示すように、目盛り付きテープ３の先端部３６から所定の距離（長さ）までは、目盛りを設けていない。本例では、所定の距離（長さ）が４０ｍｍとしてあるため、目盛り付きテープ３の先端部３６側に係止部材２が取り付けられて、係止部材２の連結部２３の端面２３ａより４０ｍｍとなる位置まで目盛りのない空白部３１となっている。そして、この空白部３１においては、目盛り付きテープ３の長手方向に対する横断方向の中心位置で、目盛り付きテープ３の先端部３６側に係止部材２が取り付けられて、係止部材２の連結部２３の端面２３ａより４０ｍｍとなる位置寄りに目盛り付きテープ３を貫通した二箇所の孔部３７、３８が形成されている。この孔部３７、３８は第一板状部２１及び第二板状部２２を貫通した孔部２７、２８と重なり合うことになる。
【００３９】
そして、目盛り付きテープ３では、目盛り付きテープ３の先端部３６側に係止部材２が取り付けられて、係止部材２の連結部２３の端面２３ａより４０ｍｍとなる位置から目盛りが設けられている。目盛り３５は、図３（ａ）に示すように、二種類、目盛り付きテープ３の長手方向に沿う両縁部３２、３３側に設けられている。一方の縁部３２側に設けられた目盛り３５では、目盛り付きテープ３の先端部３６側に係止部材２が取り付けられて、係止部材２の連結部２３の端面２３ａより４０ｍｍとなる位置に「４」と刻み込まれている。つまり、一方の縁部３２側では、目盛り付きテープ３に取り付けられた係止部材２の連結部２３の端面２３ａを起点として目盛り３５が設けられており、この「４」と刻み込まれた位置が目盛り付きテープ３に取り付けられた係止部材２の連結部２３の端面２３ａから４０ｍｍの位置であり、「４」と刻み込まれた位置から目盛り３５が順次形成されている。
【００４０】
また、他方の縁部３３側の、一方の縁部３２側の「４」と刻み込まれた位置に対応する位置では、「０」と刻み込まれている。他方の縁部３３側では、目盛り付きテープ３の先端部３６側に係止部材２が取り付けられて、係止部材２の連結部２３の端面２３ａより４０ｍｍとなる位置から設けられている目盛り３５が、一方の縁部３２側に刻み込まれた「４」とは異なり「０」と刻み込まれており、この「０」と刻み込まれた位置を起点として目盛り３５が設けられている。つまり、この「０」と刻み込まれた位置が目盛り付きテープ３の先端部３６側に係止部材２が取り付けられて、係止部材２の連結部２３の端面２３ａより４０ｍｍとなる位置であるにもかかわらず、「０」と刻み込まれた位置から目盛り３５が順次形成されている。従って、目盛り付きテープ３では、図３（ａ）に示すように、一方の縁部３２側に設けられた目盛り（Ａ目盛り）３５と他方の縁部３３側に設けられた目盛り（Ｂ目盛り）３５とでは４０ｍｍの差がある。これは、連結部２３の端面２３ａから係止部２４までを４０ｍｍとしているからで有る。
【００４１】
以上が目盛り付きテープ３の目盛りが設けられた表面３ａの構成である。目盛り３５が設けられた表面３ａに対して反対側の目盛り３５が設けられていない裏面３ｂは、図３（ｂ）に示すように、目盛り付きテープ３の長手方向に対する横断方向の中心位置で、目盛り付きテープ３の先端部３６側に係止部材２が取り付けられて、係止部材２の連結部２３の端面２３ａより４０ｍｍとなる位置寄りに、目盛り３５が設けられた表面３ａから続く、目盛り付きテープ３を貫通した二箇所の孔部３７、３８が形成されている。この孔部３７、３８は第一板状部２１と第二板状部２２とで目盛り付きテープ３が挟み込まれると、貫通した孔部２７、２８と重なり合うことになる。そして、目盛り付きテープ３の目盛り３５が設けられていない裏面３ｂでは、図３（ｂ）に示すように、孔部３７、３８が形成されるだけの構成になっている。
【００４２】
本例では、係止部材２の長さに対応して、目盛り付きテープ３の先端部３６側に係止部材２が取り付けられて、係止部材２の連結部２３の端面２３ａより４０ｍｍとなる位置までを目盛りのない空白部３１としているが、所定の距離（長さ）は目盛り付きテープ３の先端部側に係止部材２が取り付けられて、係止部材２の連結部２３の端面２３ａより４０ｍｍとなる位置に限定されるものではなく、係止部材２の長さに対応して（例えば、係止部材２の長さを３０ｍｍとすることで）、３０ｍｍとすることも可能である。また、本例では、一方の縁部３２側において、目盛り付きテープ３の先端部３６側に係止部材２が取り付けられて、係止部材２の連結部２３の端面２３ａを基点として、係止部材２の連結部２３の端面２３ａより４０ｍｍとなる位置に「４」と刻み込み、他方の縁部３３側において、目盛り付きテープ３の先端部３６側に係止部材２が取り付けられて、係止部材２の第一板状部２１の、連結部２３とは反対側の端部２１ｃを基点として、係止部材２の連結部２３の端面２３ａより４０ｍｍとなる位置に「０」と刻み込んで順次目盛り３５を形成しているが、一方の縁部３２側において、目盛り付きテープ３の先端部３６側に係止部材２が取り付けられて、係止部材２の連結部２３の端面２３ａより４０ｍｍとなる位置に「０」と刻み込み、他方の縁部３３側において、目盛り付きテープ３の先端部側に係止部材２が取り付けられて、係止部材２の連結部２３の端面２３ａより４０ｍｍとなる位置に「４」と刻み込んで順次目盛り３５を形成することも可能である。
【００４３】
つぎに目盛り付きテープ３が巻回されて収容されたＤ字状のケース４の、目盛り付きテープ３を巻き出し、或いは巻き戻しを行うためにＤ字状のケース４の底面部４１側に設けられた開口部４２について説明する。
【００４４】
Ｄ字状のケース４の底面部４１に設けられた開口部４２は、図４（ａ）に示すように、底面部４１を切り欠いて形成されている。具体的には、開口部４２は、底面部４１を、底面部４１の一方の端部４１ａから他方の端部４１ｂに向かって矩形形状に切り欠くことで形成されている。つまり、底面部４１を略コ字状の形状に切り欠くことで、対向して平行な縁面部４２ｂ、４２ｂが形成されている（係止部材２の長手方向の長さと同じ長さの縁面部４２ｂ、４２ｂが形成されている）。また、縁面部４２ｂ、４２ｂの間隔ｂは、Ｄ字状のケース４からの、目盛り付きテープ３の巻き出し及び巻き戻しを行える隙間で形成されている（係止部材２の長手方向を横断する幅方向と同じ長さで形成されている）。そして、開口部４２の縁面部４２ｂ、４２ｂの長さは目盛り付きテープ３が取り付けられる係止部材２の長さ４０ｍｍに対応して、本例では開口部４２の縁面部４２ｂ、４２ｂの長さを４０ｍｍとしている。
【００４５】
底面部４１の他方の端部４１ｂ側の開口部４２では、縁面部４２ｂ、４２ｂの終端として端面部４２ａが形成されている。そして、このような形状の開口部４２へ係止部材２が取り付けされた目盛り付きテープ３が収容されると、図４（ｂ）に示すように、係止部材２がＤ字状のケース４の底面部４１の開口部４２内に収まることになる。つまり、目盛り付きテープ３に取り付けられた係止部材２が底面部４１の一方の端部４１ａから突出しなくなり、係止部材２の係止部２４が開口部４２の端面部４２ａに当接（係止）した状態になる。
【００４６】
この状態をＤ字状のケース４の側面方向から示したのが図５（ａ）である。図５（ａ）に示すように、係止部材２が取り付けされた目盛り付きテープ３が開口部４２に収容されると、係止部材２の係止部２４が開口部４２の端面部４２ａに当接（係止）し、係止部材２が底面部４１と略平行な状態になる。つまり、開口部４２の端面部４２ａと係止部材２の係止部２４とは、第一板状部２１及び第二板状部２２が底面部４１に対して略平行に伸びるように当接する面積を確保している。そのため、開口部４２の端面部４２ａに係止部材２の係止部２４が当接した際に、係止部材２（第一板状部２１及び第二板状部２２）が開口部４２から底面部４１より飛び出すことを防いでいる。図５（ｂ）でも、係止部材２が底面部４１に対して略平行に伸びていることが示されている。連結部２３も底面部４１により飛び出すことなく開口部４２内に収まっている。
【００４７】
つぎに、係止部材２と目盛り付きテープ３との連結について説明する。
【００４８】
係止部材２と目盛り付きテープ３との連結に際しては、図６（ａ）に示すように、目盛り付きテープ３の先端部３６と係止部材２の一方の端部２ａとを向かい合わせる。そして、図６（ａ）に示す矢印方向に沿って目盛り付きテープ３と係止部材２とを接近させて、目盛り付きテープ３の先端部３６を係止部材２の第一板状部２１の端部２１ｃと第二板状部２２の端部２２ｃとで形成された隙間Ａへ挿入する。目盛り付きテープ３の表面３ａが第一板状部２１と対向し、目盛り付きテープ３の裏面３ｂが第二板状部２２と対向して挿入される（係止部材２の、第一板状部２１と第二板状部２２とで目盛り付きテープ３を挟み込む）。中央部３４を底部とする幅方向に湾曲している目盛り付きテープ３は第二板状部２２の湾曲して円弧を形成している、第一板状部２１の屈曲点２１ｄに対応する位置２２ｄまで第二板状部２２に沿って係止部材２に挿入される。以上のようにして、目盛り付きテープ３の空白部３１が係止部材２の中に入っていく。
【００４９】
さらに、目盛り付きテープ３を係止部材２内に挿入すると、目盛り付きテープ３の先端部３６は、第一板状部２１の屈曲点２１ｄと、第二板状部２２の、屈曲点２１ｄに対応する位置２２ｄを通過する。通過することで目盛り付きテープ３の先端部３６は、係止部材２の、第一板状部２１と第二板状部２２とが重なり合った部分に入っていく。係止部材２の、第一板状部２１と第二板状部２２とが重なり合った部分は、図６（ａ）に示すように、第一板状部２１及び第二板状部２２とも湾曲せずに平板状の形状をなしている。そのため、係止部材２の、第一板状部２１と第二板状部２２とが重なり合った部分に入った目盛り付きテープ３は湾曲した状態から平板状の状態になり係止部材２の他方の端部２ｂへ向かう。
【００５０】
そして、目盛り付きテープ３の先端部３６が第一板状部２１と第二板状部２２とが重なり合った部分を進み、連結部２３に当接することで（連結部２３と対向させて当接させた状態にすることで）、図６（ｂ）に示すように、係止部材２への目盛り付きテープ３の組み込みが完了する。このとき、係止部材２の孔部２７、２８と目盛り付きテープ３の孔部３７、３８とが重なり合い係止部材２と目盛り付きテープ３を貫通した状態になる。この重なり合った、係止部材２の孔部２７、２８と目盛り付きテープ３の孔部３７、３８には、図７（ａ）に示すように、固定部材であるリベット５を組み込むことで係止部材２と目盛り付きテープ３との連結が完了する。係止部材２と目盛り付きテープ３との連結が完了すると、図７（ｂ）に示すように、第一板状部２１の端部２１ｃが目盛り付きテープ３の、一方の縁部３２側の「４」と刻み込まれた位置と他方の縁部３３側の「０」と刻み込まれた位置と並ぶ。
【００５１】
つぎに、本考案である、係止部材２と目盛り付きテープ３とを連結した巻き尺１の使用方法について説明する。
【００５２】
図８（ａ）に示す、計測対象物１０４の溝１０４ａの隅１０４ｃからの計測対象物の縁部１０４ｂまでを本考案である巻き尺１を用いて計測する場合について説明する。まず、巻き尺１の開口部４２より目盛り付きテープ３を巻き出す。そして、目盛り付きテープ３の先端部３６側の連結部２３を計測対象物１０４の溝１０４ａの隅１０４ｃに当接させる。このとき係止部２４は、図８（ａ）に示すように、連結部２３より離れた位置にあるため、溝１０４ａ内の内壁１０４ａ１に接触しない。
【００５３】
そのため、目盛り付きテープ３の先端部３６側は溝１０４の隅１０４ｃに当接させるに際しての妨げとなるものがなくなり、容易に目盛り付きテープ３の先端部３６側は溝１０４の隅１０４ｃに当接させられる。そして、目盛り付きテープ３の先端部３６側は溝１０４の隅１０４ｃに当接させた状態で、巻き尺１より巻き出した目盛り付きテープ３を計測対象物１０４である溝部１０４ｂに当接させることで、計測対象物１０４の溝１０４ａの隅１０４ｃからの計測対象物の縁部１０４ｂまで容易に計測することができる。この場合の計測は、目盛り付きテープ３の一方の縁部３２側に設けられた目盛り（Ａ目盛り）３５により行うことになる。
【００５４】
つぎに、図８（ｂ）に示す、計測対象物１０８の空間部１０８ａの対角線（一点鎖線）の長さを本考案である巻き尺１を用いて計測する場合について説明する。図８（ａ）の計測の場合と同様に、まず、巻き尺１の開口部４２より目盛り付きテープ３を巻き出す。そして、目盛り付きテープ３の先端部３６側の連結部２３を計測対象物１０８の空間部１０８ａの一方の隅１０８ｃ１に当接させる。このとき係止部２４は、図８（ｂ）に示すように、連結部２３より離れた位置にあるため、空間部１０８ａ内の内壁１０８ａ１に接触しない。
【００５５】
そのため、図８（ａ）の計測の場合と同様に、目盛り付きテープ３の先端部３６側は空間部１０８ａの一方の隅１０８ｃ１に当接させるに際しての妨げとなるものがなくなり、容易に目盛り付きテープ３の先端部３６側は空間部１０８ａの一方の隅１０８ｃ１に当接させられる。そして、目盛り付きテープ３の先端部３６側は空間部１０８ａの一方の隅１０８ｃ１に当接させた状態で、巻き尺１より巻き出した目盛り付きテープ３を計測対象物１０８の空間部１０８ａの対角線（一点鎖線）である他方の隅１０８ｃ２に当接させることで、計測対象物１０８の空間部１０８ａの対角線（一点鎖線）の長さを容易に計測することができる。図８（ａ）の計測の場合と同様に、計測は、目盛り付きテープ３の一方の縁部３２側に設けられた目盛り（Ａ目盛り）３５により行うことになる。
【００５６】
つぎに、図９（ａ）に示す、計測対象物１０９の上面部１０９ｂの長さを本考案である巻き尺１を用いて計測する場合について説明する。図８の場合と同様に、まず、巻き尺１の開口部４２より目盛り付きテープ３を巻き出す。そして、目盛り付きテープ３の先端部３６側の係止部２４を計測対象物１０９の端面部１０９ａに引っ掛ける。そして、巻き尺１の開口部４２より目盛り付きテープ３を巻き出しながら、係止部２４を引っ掛けた端面部１０９ａと反対側の端面部１０９ａまで目盛り付きテープ３を巻き出すことで計測対象物１０９の上面部１０９ｂの長さの計測を行う。この場合の計測は、目盛り付きテープ３の一方の縁部３３側に設けられた目盛り（Ｂ目盛り）３５により行うことになる。
【００５７】
また、図９（ｂ）に示す、計測対象物１１０の奥行き１１０ａの長さを本考案である巻き尺１を用いて計測する場合について説明する。図８、図９（ａ）の場合と同様に、まず、巻き尺１の開口部４２より目盛り付きテープ３を巻き出す。そして、目盛り付きテープ３の先端部３６側の係止部材２の連結部２３を計測対象物１１０の壁１１０ｂに当接させる。そして、係止部材２の連結部２３を壁１１０ｂに当接した状態で、巻き尺１の開口部４２より目盛り付きテープ３を壁１１０ｂと反対側の端面部１０９ｃまで目盛り付きテープ３を巻き出すことで計測対象物１１０の奥行き１１０ａの長さの計測を行う。この場合の計測は、目盛り付きテープ３の一方の縁部２３側に設けられた目盛り（Ａ目盛り）３５により行うことになる。
【図面の簡単な説明】
【００５８】
【図１】本考案である巻き尺の目盛り付きテープに取り付けられる係止部材の説明図である。（ａ）は、係止部材の斜視図である。（ｂ）は、係止部材の第一板状部の正面図である。
【図２】図１に示す係止部材の説明図である。（ａ）は、係止部材の側面図である。（ｂ）は、重なり合った、第一板状部と第二板状部との関係を正面方向から示す説明図である。（ｃ）は、重なり合った、第一板状部と第二板状部との関係を背面方向から示す説明図である。
【図３】本考案である巻き尺の目盛り付きテープの説明図である。（ａ）は、目盛り付きテープの目盛りが設けられた表面を示す説明図である。（ｂ）は、目盛り付きテープの目盛りが設け  られていない裏面を示す説明図である。
【図４】Ｄ字状のケースの、目盛り付きテープを巻き出し、巻き戻しを行うための開口部を示す説明図である。（ａ）は、Ｄ字状のケースの底面部に設けられた開口部を示す説明図である。（ｂ）は、Ｄ字状のケースの底面部の開口部に係止部材が収まった状態を示す説明図である。
【図５】図４に示す開口部と係止部材との関係を示す説明図である。（ａ）は、Ｄ字状のケースの底面部の開口部に係止部材が収まった状態をＤ字状のケースの側面方向から示す説明図である。（ｂ）は、Ｄ字状のケースの底面部の開口部に係止部材が収まった状態をＤ字状のケースの正面方向（端面方向）から示す説明図である。
【図６】係止部材と目盛り付きテープとの連結状況を示す説明図である。（ａ）は、係止部材と目盛り付きテープとが連結される前の状態を示す説明図である。（ｂ）は、係止部材と目盛り付きテープとが連結された状態を示す説明図である。
【図７】連結された、係止部材と目盛り付きテープとを示す説明図である。（ａ）は、連結された、係止部材と目盛り付きテープとを側面方向から示す説明図である。（ｂ）は、連結された、係止部材と目盛り付きテープとを正面方向から示す説明図である。
【図８】本考案の巻き尺を用いての計測方法を示す説明図である。（ａ）は、計測対象物を目盛り付きテープの一方の縁部の目盛り（Ａ目盛り）用いての計測方法を示す説明図である。（ｂ）は、計測対象物を目盛り付きテープの一方の縁部の目盛り（Ａ目盛り）用いての計測方法を示す説明図である。
【図９】本考案の巻き尺を用いての計測方法を示す説明図である。（ａ）は、計測対象物を目盛り付きテープの他方の縁部の目盛り（Ｂ目盛り）用いての計測方法を示す説明図である。（ｂ）は、計測対象物を目盛り付きテープの一方の縁部の目盛り（Ａ目盛り）用いての計測方法を示す説明図である。
【図１０】従来の巻き尺を用いての計測方法を示す説明図である。
【図１１】従来の巻き尺を用いての別の計測方法を示す説明図である。
【図１２】従来の巻き尺を用いての計測の状況を示す説明図である。
【図１３】従来の巻き尺を用いての別の計測の状況を示す説明図である。
【符号の説明】
【００５９】
１…巻き尺
２…係止部材、２１…第一板状部、２１ａ、２１ｃ…端部、２１ｂ…縁部、２１ｂ１…平行縁部、２１ｂ２…傾斜縁部、２２…第二板状部、２２ａ、２２ｃ…端部、２２ｂ…縁部、２２ｄ…屈曲点に対応する位置、２３…連結部、２３ａ…端面、２４…係止部、２７、２８…孔部
３…目盛り付きテープ、３ａ…表面、３ｂ…裏面、３１…空白部、３２…目盛り付きテープの一方の縁部、３３…目盛り付きテープの他方の縁部、３４…中央部、３５…目盛り、３６…先端部、３７、３８…孔部
４…Ｄ字状のケース、４１…底面部、４１ａ…一方の端部、４１ｂ…他方の端部、４２…開口部、４２ａ…端面部、４２ｂ…縁面部
５…リベット
１０８、１０９、１１０…計測対象物
【図１】
0003146872.tif 000003
【図２】
0003146872.tif 000004
【図３】
0003146872.tif 000005
【図４】
0003146872.tif 000006
【図５】
0003146872.tif 000007
【図６】
0003146872.tif 000008
【図７】
0003146872.tif 000009
【図８】
0003146872.tif 000010
【図９】
0003146872.tif 000011
【図１０】
0003146872.tif 000012
【図１１】
0003146872.tif 000013
【図１２】
0003146872.tif 000014
【図１３】
0003146872.tif 000015
【手続補正書】
【提出日】平成20年9月24日(2008.9.24)
【手続補正１】
【補正対象書類名】明細書
【補正対象項目名】０００４
【補正方法】変更
【補正の内容】
【０００４】
また、巻き尺１００を用いて、建設現場等における部材間同士の間隔（隙間等）を計測する場合には、図１１に示すように、部材１０６の面１０６ａにテープ１０２の自由端１０２ａ（である先端部）に設けられたＬ字状のフック（ストッパー）１０３の端面１０３ａを当接させる。Ｌ字状のフック（ストッパー）１０３の端面１０３ａを部材１０６の面１０６ａに当接した状態で、Ｄ字形のケース１０１を矢印Ｚ方向へ、テープ１０２を出しながら、移動部材１０７に向かって移動する。そして、Ｄ字形のケース１０１を所定の距離移動した後に、部材１０６の面１０６ａからの距離を測るべくテープ１０２の目盛りを読みとることで計測が完了する。
【特許文献１】実用新案登録第３０９４９０３号（段落０００２  図５）